(57)【要約】      （修正有）【課題】安価で、季節を問わず良品質で多量のたもぎ茸を発育させ得るたもぎ茸の人工榾木を提供する。【解決手段】材料を水で練り固め円柱状に成形されたブロック状の培地に、種菌の増殖により表面が白色ないし霜降り状になるまで全体に菌糸を蔓延させ、菌糸の蔓延により培地内部より固い被覆層が形成されるように、上記培地の表面を裸にして成ることを特徴とする。栽培ハウスに移された榾木は、２５℃〜２７℃程度の室温で温度管理し、たもぎ茸の発生を促す。最初は、種菌を接種した中央に発芽したもぎ茸１５が成長し、次に周囲から発芽１７が発生する。また、破袋直後よりも周囲における被覆層１２が厚く成長しており、これが保温層となるため、高温菌が棲息しやすい環境が安定して得られる。【選択図】図３
0003186210.tif 000002
【実用新案登録請求の範囲】
【請求項１】
材料を水で練り固め円柱状に成形されたブロック状の培地に、種菌の増殖により表面が白色ないし霜降り状になるまで全体に菌糸を蔓延させ、菌糸の蔓延により培地内部より固い被覆層が形成されるように、上記培地の表面を裸にして成ることを特徴とするたもぎ茸の人工榾木。
【考案の詳細な説明】
【技術分野】
【０００１】
この考案は、おが屑やふすま等の材料を水で練り固め、ブロック状に成形した培地に種菌を接種し、ハウス内管理によりその培養を促進して、たもぎ茸が発芽するまで全体に菌糸が蔓延する状態に熟成させることに関するものである。つまり、たもぎ茸の生産者等に供給するためのたもぎ茸の人工榾木に関する。
【背景技術】
【０００２】
たもぎ茸は、北海道や東北の深山で春〜夏の限られた時期にだけ自生していた茸であって、アガリスクよりもさらに２〜３倍以上ものベーターＤ−グルカンを多く含み、特に抗ガン作用があることで近年注目されている。近年ようやく人工栽培ができるようになったが、たもぎ茸が高温菌に属することから栽培が難しく大規模な栽培はあまり行われていない。
【０００３】
従来、たもぎ茸の人工栽培においては、菌床の材料を練り合わせてから瓶型のプラスチック製容器等に充填し、その状態で加熱殺菌した後、種菌を接種してから菌糸を全体に蔓延させ、瓶のまま棚等に並べ栽培を行うのが主流となっている（瓶栽培）。また、プラスチックフィルム製の栽培袋に材料を充填するとともに、袋詰めのままブロック状に培地を成形し、加熱による殺菌工程、種菌接種工程、培養工程を経てから、栽培袋を培地の上端部で切除し、茸の生産工程では、培地の露出した上面で発芽、生育させるようにする（半袋栽培）提案がある（特許文献１）。
【先行技術文献】
【特許文献】
【０００４】
【特許文献１】特開２００７−１４２９９号公報
【考案の概要】
【考案が解決しようとする課題】
【０００５】
しかしながら、上記のような瓶栽培や半袋栽培によれば、培地が瓶や袋に被覆され上面でのみ露出している関係で、たもぎ茸の子実体の発生面積が小さく、多量のたもぎ茸を収穫するにはそれだけ時間がかかるという不利な点があり、また、時間の経過とともに繁殖した菌糸の活力が乏しくなるために、良品質のたもぎ茸を生産するには限界があるという問題があった。
【０００６】
また、たもぎ茸の栽培が終了して使い済みとなった培地は硬化しているため、廃棄処分の際に瓶や容器との分別回収が困難であり、特に、瓶の場合であると、再利用又はゴミとして分別するには瓶から硬くなった菌床を取り出すことは容易ではなく作業性が悪かった。
【０００７】
しかしながら、たもぎ茸は、他のきのこ類と比べて栄養価がとても高く、そのエキスは大変有効な機能性食品として将来に大きな期待が寄せられていることを考えると、大量生産によりこの期待に応える必要性が痛感される。
【０００８】
そこで、この考案は、安価で、季節を問わず良品質で多量のたもぎ茸を発育させ得るたもぎ茸の人工榾木を提供することを課題とする。
【課題を解決するための手段】
【０００９】
上記の課題を解決するために、この考案は、材料を水で練り固め円柱状に成形されたブロック状の培地に、種菌の増殖により表面が白色ないし霜降り状になるまで全体に菌糸を蔓延させ、菌糸の蔓延により培地内部より固い被覆層が形成されるように、上記培地の表面を裸にして成ることを特徴とするたもぎ茸の人工榾木を提供する。
【００１０】
たもぎ茸の人工榾木を上記のように構成したから、菌糸が培地全体に波及した状態において生産部門または生産者に提供するが、全体が空気に触れることにより特に周囲でも菌糸の増殖によりそれが密に生育した被覆層が成長する。この被覆層が、雑菌の進入に対する防備ばかりでなく、防水、断熱性を発揮して茸の発芽生育や温度管理等に良好に作用する。なお、上面は破袋以前から被覆層が厚く発達している。
【考案の効果】
【００１１】
この考案によれば、培養に使われたプラスチックフィルムの培養袋はプラスチック製瓶よりも数十分の１程度に極めて安価であり、その袋は工場において破袋作業により除去され、培地が裸で人工榾木として栽培に供されるため、栽培終了後にその人工榾木の廃棄処分がしやすく、瓶の回収のような困難な分別作業を要しなく瓶の洗浄などのような面倒な手間を要しなく、工場の稼働及び栽培の要領ともに作業効率が良い。また、人工榾木は、上面ばかりでなく周囲にも茸菌が密な被覆層が発達するので、雑菌の進入が阻止され無農薬栽培に適し、保温性が良いので、冬季の寒い時期でも高温菌としてのたもぎ茸の発育が良く、温度管理やし易いと同時に、多収穫となるという優れた効果がある。
【００１２】
特に、この人工榾木からは複数のたもぎ茸が発生し、榾木上部からだけでなく、側面からも発生があるため、１個の人工榾木に対して短期間で多量のたもぎ茸を収穫することができ、栽培ハウスの稼働率が良好となるという効果がある。
【図面の簡単な説明】
【００１３】
【図１】この考案のたもぎ茸の人工榾木において、培養袋に材料の充填、成形、殺菌、種菌接種の各工程を終えて培養工程に臨ませる状態を示す正面図である。
【図２】培養工程の終了により培養袋を破棄し培地が裸となったこの考案の人工榾木を一部切欠して示す斜視図である。
【図３】たもぎ茸が発芽・発育した状態を示す一部切欠したこの考案の人工榾木の斜視図である。
【考案を実施するための形態】
【００１４】
次に、この考案の実施形態を説明する。その作業工程を１〜５に分けて説明するが、培養工程において生産工数削減と規則正しい日数と、有効な温度管理を実施すべく自動倉庫システムを構築した点が大きな特徴である。自動倉庫システムとは、榾木を搭載したパレットを自動でトラックに収納し得る装置を倉庫に装備し、設定により７〜１０日経過すると倉庫から自動的に搬出されるシステムであり、これによると日数が規則正しく守れ工数も削減できる。
【００１５】
１  袋詰め培地の成形及び殺菌工程
人工榾木Ｐの主成分となるおが屑（ナラ、クヌギ等）は細目と粗目を混合して使用する。ある程度混合した後、加水し、米ぬか、ふすま等を水で練り、プラスチックフィルムの培養袋１に充填し、袋詰めのまま後に人工榾木Ｐとなる培地Ｐａを円柱形に成形する。充填されると同時に培地Ｐａの中央に穿孔棒で突いて植菌孔２を形成する（図１参照）。これを崩さないよう配慮しながら、殺菌トレーに摘まみ込み、レトルト鍋にいれて加熱殺菌する。加熱時間は１２１°Ｃで９０分とする。
【００１６】
培地の基準配合は、細目おが屑２５０kg、粗目おが屑１９０kg、ふすま５５kg、栄養剤及び抑制剤としてビール酵母４kg、リン酸カルシウム２kgである。これを混合しながら水分約６０％となるように加水する。充填時の規格は、高さ約１５０mm、重さ約１，２００ｇ、植菌孔２を作る穿孔棒の規格は長さ１００mm、上径３０mm、下径１８mmとする。
【００１７】
２  植菌工程
加熱殺菌後、充填した際に作られた植菌孔２に粉砕した種菌を入れる。この際には、培養袋１は上端が開口しているので、その口から植菌孔２を塞ぐように十分な量の種菌２０ｇ程度を充填する。こうして種菌を接種した後、図１に示す如く、袋１の口は幅中央で一部３を開口するように、シーラーヒーターによるシール４を施し、その上方でミシン糸５により通気可能に縫製する。このようにして通気可能な口の封止状態で培養工程に移される。
【００１８】
３  培養工程（３０〜３５日間）
袋１に培地Ｐａを詰めたまま菌を培地全体に広がらせることを目的とする。菌糸全体が培地に広がると、全体が白色又は霜降り状となり、この状態が菌糸体が全体に蔓延し、雑菌の進入および繁殖が防止された状態となるので、破袋が安全にして可能となる。また、この培養工程を安定させるために自動記録計、棒温度計、温度ロガー、および放射温度計等の計器を駆使し、温度管理を厳重に実施する。
【００１９】
また、先にも述べたように培養工程では、自動倉庫システムを使用しており、植菌された袋１は培養を始め７〜１０日経過すると自動的に培養後期倉庫に搬出され、温度管理が施された倉庫にてさらに培養される。培養前期においては温度が１９°Ｃ〜２２°Ｃに、培養後期においては２２°Ｃ〜２４°Ｃに室温が保持されるように温度管理を行う。
【００２０】
４  培養検品工程および破袋作業工程
培養検品工程において、菌糸が全体に蔓延したかどうかが検品される。検品では完熟品、未熟品、不良品に分類され、未熟品については、培養後期倉庫に戻されさらに培養を促す。完熟品となった袋１は破袋装置にかけられ、袋が破られる。
【００２１】
破袋され裸となった培地Ｐａ、つまり人工榾木Ｐは、外面が菌の蔓延が密でやゝ硬化して被覆層１１，１２となっており、これにより雑菌等の進入から保護されるため、このままでも安全であるが、確実性を確保するため０．３ｐｐｍ濃度の塩素水のシャワーを通して滅菌を施す。これでたもぎ茸の生産部門ないし生産者に供給すれば、温度、湿度、散水の各管理を施すことで間もなくたもぎ茸が発芽することとなる人工榾木Ｐの完成に至る。周囲の被覆層１２は、破袋直後であると厚みが少ないが、後日空気と触れることで徐々に厚みが増してくる。
【００２２】
５  栽培管理
栽培ハウスに移された榾木は、発芽のために特に高い室温が要求され、２５°Ｃ〜２７°Ｃ程度の室温で温度管理し、たもぎ茸の発生を促す。最初は、図３に示すように、種菌を接種した中央に発芽したもぎ茸１５が成長し、次に周囲から発芽１７が発生する。つまり、上面ばかりでなく周囲全体からも収穫が望める。また、破袋直後よりも周囲における被覆層１２が厚く成長しており、これが保温層となるため、高温菌が棲息しやすい環境が安定して得られ、これも多収穫の要因となる。
【００２３】
さらに、被覆層１１，１２が雑菌の進入を阻止するバリヤ層の役目を果たす。しかも、雑菌が表面に付着したとしても大量の散水を一挙に施すことにより雑菌を洗い流すことができ、その際に散水による型崩れが被覆層１１，１２により防止されるので、無農薬栽培が可能になる程度に散水量の使用が可能である。
【符号の説明】
【００２４】
Ｐ  人工榾木
Ｐａ  培地
１  培養袋
２  植菌孔
３  袋の口
４  シーラーヒーターによるシール部
５  ミシン糸による縫製部
１１，１２  被覆層
１５  たもぎ茸
１７  発芽
【図１】
0003186210.tif 000003
【図２】
0003186210.tif 000004
【図３】
0003186210.tif 000005